(57)【特許請求の範囲】
【請求項１】
電線に着脱自在に装着され、弾性変形可能な筒状のクリップ部であって、周壁にその軸線方向に延びる不連続部分を有する複数のクリップ部と、
各クリップ部間に配置され、各クリップ部の、不連続部分とは軸線に関して反対側の部分に連なり、クリップ部を軸線方向に連結している連結部であって、不連続部分が内側になる方向への変形に対する弾性回復力が、不連続部分が外側になる方向への変形に対する弾性回復力よりも小さい連結部と、
各クリップ部から放射状に突出する複数の鳥障害用突起と、を含み、
前記連結部は、クリップ部の軸線に直交する方向から見て外方に向かって凸となるＵ字状であることを特徴とする電線用鳥害防止具。
【請求項２】
各連結部によって連結された各クリップ部のうち、軸線方向一端部側に配置されるクリップ部の軸線方向に隣接するクリップ部と連結していない軸線方向の端部に設けられる第１係合部と、
各連結部によって連結された各クリップ部のうち、軸線方向他端部側に配置されるクリップ部の軸線方向に隣接するクリップ部と連結していない軸線方向の端部に設けられ、第１係合部にその軸線に垂直な軸線まわりに角変位自在に係合可能な第２係合部とを、さらに含むことを特徴とする請求項１に記載の電線用鳥害防止具。
【請求項３】
各クリップ部は、不連続部分から軸線方向に垂直な方向に突出する一対のフランジ部を有し、
各フランジ部の軸線方向両端部は、軸線方向に互いに近接する方向に傾斜し、かつ軸線に垂直な方向に、軸線から離反するにつれて各フランジ部の軸線方向両端に向けて広がるように傾斜していることを特徴とする請求項１または２に記載の電線用鳥害防止具。
【請求項４】
前記複数の鳥障害用突起は、各クリップ部の軸線方向の一端部でかつ不連続部分とは軸線に関して反対側の背面部分に設けられる鳥障害用突起を含み、
前記背面部分に設けられる鳥障害用突起は、各クリップ部を不連続部分が内側になる方向へ変形させた状態で、先端部が軸線方向の両側に隣接する２つの鳥障害用突起のほぼ中間位置に配置されるように傾斜して設けられていることを特徴とする請求項１〜３のいずれか１つに記載の電線用鳥害防止具。
【請求項５】
前記複数の鳥障害用突起は、連結部に設けられる鳥障害用突起を含むことを特徴とする請求項１〜４のいずれか１つに記載の電線用鳥害防止具。
【請求項６】
前記複数の鳥障害用突起は、各フランジ部の軸線方向両端部に設けられる鳥障害用突起を含むことを特徴とする請求項３〜５のいずれか１つに記載の電線用鳥害防止具。
【発明の詳細な説明】
【技術分野】
【０００１】
本発明は、鳥害を防止するために、架空配電線などの電線に装着される電線用鳥害防止具に関する。
【背景技術】
【０００２】
架空配電線などの電線に鳥獣類が止まることがある。鳥獣類が電線に止まると糞や羽などによって周囲が汚損される。また大形の鳥獣類が止まったり、多数の鳥獣類が止まると、電線の損傷および短絡事故につながるおそれがある。
【０００３】
このような、いわゆる鳥害などを防止するために、電線に外嵌される枠部と、この枠部に設けられ、外方に突出する複数の針部を有する鳥害防止具（たとえば、特許文献１，２など）を用いる。
【０００４】
このような鳥害防止具を用いることで、鳥が電線に留まろうとしたときに、針部が障害となって、電線に留まれなくなる、枠部に留まったとしても枠部が回転してしまうので、やはり電線に留まることはできなくなる、などの効果を奏する。
【先行技術文献】
【特許文献】
【０００５】
【特許文献１】特開２００８−２２７４２号公報
【特許文献２】特開２００９−２２５７３９号公報
【発明の概要】
【発明が解決しようとする課題】
【０００６】
上記のような効果を十分に発揮するためには、従来の鳥害防止装置を、電線の延びる方向に所定の長さにわたって設ける必要がある。したがって、枠部を一体的かつ長尺状に形成してしまうと、電線に嵌め込む作業が困難となるため、比較的短い複数の鳥害防止装置を、端部同士で互いに接続可能な構成としておき、個別に電線に嵌め込んだのちに接続することで、所定の長さにわたって設けることができる。
【０００７】
従来の鳥害防止装置を、直線状の電線に設ける場合には、作業上の問題は特に発生しないが、たとえば、縁廻線とも呼ばれる縁廻り電線などの湾曲した状態の電線に沿うように鳥害防止装置を設けようとすると、１つの鳥害防止装置をできる限り短くし、湾曲した状態の電線に個別に嵌め込んで接続することが必要となる。この場合、湾曲した状態の電線に沿って鳥害防止装置を設けることはできるが、非常に多数の鳥害防止装置を電線に嵌め込む必要があり、設置作業が煩雑となる。また、嵌め込まれた鳥害防止装置を互いに接続する作業の作業量も当然多くなり、設置作業全体が繁雑なものとなる。
【０００８】
本発明の目的は、湾曲した状態の電線であっても容易に設置することができる電線用鳥害防止具を提供することである。
【課題を解決するための手段】
【０００９】
本発明は、電線に着脱自在に装着され、弾性変形可能な筒状のクリップ部であって、周壁にその軸線方向に延びる不連続部分を有する複数のクリップ部と、
各クリップ部間に配置され、各クリップ部の、不連続部分とは軸線に関して反対側の部分に連なり、クリップ部を軸線方向に連結している連結部であって、不連続部分が内側になる方向への変形に対する弾性回復力が、不連続部分が外側になる方向への変形に対する弾性回復力よりも小さい連結部と、
各クリップ部から放射状に突出する複数の鳥障害用突起と、を含み、
前記連結部は、クリップ部の軸線に直交する方向から見て外方に向かって凸となるＵ字状であることを特徴とする電線用鳥害防止具である。
【００１０】
また本発明は、各連結部によって連結された各クリップ部のうち、軸線方向一端部側に配置されるクリップ部の軸線方向に隣接するクリップ部と連結していない軸線方向の端部に設けられる第１係合部と、
各連結部によって連結された各クリップ部のうち、軸線方向他端部側に配置されるクリップ部の軸線方向に隣接するクリップ部と連結していない軸線方向の端部に設けられ、第１係合部にその軸線に垂直な軸線まわりに角変位自在に係合可能な第２係合部とを、さらに含むことを特徴とする。
【００１１】
また本発明は、各クリップ部は、不連続部分から軸線方向に垂直な方向に突出する一対のフランジ部を有し、
各フランジ部の軸線方向両端部は、軸線方向に互いに近接する方向に傾斜し、かつ軸線に垂直な方向に、軸線から離反するにつれて各フランジ部の軸線方向両端に向けて広がるように傾斜していることを特徴とする。
【００１２】
また本発明は、前記複数の鳥障害用突起は、各クリップ部の軸線方向の一端部でかつ不連続部分とは軸線に関して反対側の背面部分に設けられる鳥障害用突起を含み、
前記背面部分に設けられる鳥障害用突起は、各クリップ部を不連続部分が内側になる方向へ変形させた状態で、先端部が軸線方向の両側に隣接する２つの鳥障害用突起のほぼ中間位置に配置されるように傾斜して設けられていることを特徴とする。
【００１３】
また本発明は、前記複数の鳥障害用突起は、連結部に設けられる鳥障害用突起を含むことを特徴とする。
【００１４】
また本発明は、前記複数の鳥障害用突起は、各フランジ部の軸線方向両端部に設けられる鳥障害用突起を含むことを特徴とする。
【発明の効果】
【００１５】
本発明によれば、複数のクリップ部は、その周壁の不連続部分が内側になる方向への変形に対する弾性回復力が、前記不連続部分が外側になる方向への変形に対する弾性回復力よりも小さいＵ字状の連結部によって連結されるので、湾曲した電線であっても、各クリップ部ごとに電線に装着することができる。これによって、各クリップ部を曲げ剛性の高い材料によって形成することができ、風などによって電線が揺動しても。電線用鳥害防止具が容易に変形して電線から脱落することが防がれる。また、各クリップ部が連結部によって連結されるので、各クリップ部および鳥障害用突起を硬質とし、鳥の接近に対する抑制効果を向上することができる。
【００１６】
また本発明によれば、各クリップ部の軸線方向の一端部に第１係合部が設けられ、各クリップ部の軸線方向の他端部に第２係合部が設けられるので、軸線方向に隣接するクリップ部は、互いに軸線に垂直な軸線まわりに角変位自在に連結され、風などによる電線の揺動を許容し、電線用鳥害防止具に電線から大きな反力が作用することが防がれ、電線用鳥害防止具の電線からの脱落が防がれるとともに、湾曲した電線にも各クリップ部を容易に装着することができ、鳥害防止具の電線への装着作業を容易化することができる。
【００１７】
さらに本発明によれば、各クリップ部の各フランジ部は、軸線方向両端部が、軸線方向に互いに近接する方向に傾斜し、かつ軸線に垂直な方向に、軸線から離反するにつれて各フランジ部の軸線方向両端に向けて広がるように傾斜しているので、電線用鳥害防止具を電線に装着する際に、電線が前記傾斜している部分によって案内されて、各フランジ部を経てクリップ部内へ挿入することができ、電線への電線用障害防止具の装着作業を容易化することができる。
【００１８】
さらに本発明によれば、前記複数の鳥障害用突起のうち、各クリップ部の前記軸線方向の一端部でかつ不連続部分とは前記軸線に関して反対側の背面部分に設けられる鳥障害用突起は、不連続部分が内側に湾曲させた状態で、先端部が前記軸線方向の両側に隣接する２つの鳥障害用突起のほぼ中間位置に配置されるので、湾曲した電線に電線用鳥害防止具が装着された状態であっても、各鳥障害用突起の先端を軸線方向にほぼ均一な間隔に位置させることができ、これよって鳥がとまれる隙間が生じることを防ぎ、飛来した鳥に対する障害効果を高めることができる。
【００１９】
さらに本発明によれば、前記連結部に鳥障害用突起が設けられるので、湾曲した電線に不連続部分を内側に湾曲させた状態で電線用鳥害防止具が装着された状態であっても、各鳥障害用突起の先端を軸線方向にほぼ均一な間隔に位置させることができ、これよって軸線方向に鳥が接近できる隙間が生じることを防ぎ、飛来した鳥に対する障害効果を高めることができる。
【００２０】
さらに本発明によれば、各フランジ部の軸線方向両端部に鳥障害用突起が設けられるので、湾曲した電線に不連続部分を外側に湾曲させた状態で電線用鳥害防止具が装着された状態であっても、各鳥障害用突起の先端を軸線方向にほぼ均一な間隔に位置させることができ、これよって軸線方向に鳥が接近できる隙間が生じることを防ぎ、飛来した鳥に対する障害効果を高めることができる。
【図面の簡単な説明】
【００２１】
【図１】本発明の実施形態である鳥害防止具１００の構成を示す外観図である。
【図２】鳥害防止具１００のクリップ部１を拡大して示す拡大図である。
【図３】クリップ部１の第２係合部６の周辺部分を拡大して示す拡大図である。
【図４】鳥害防止具１００を軸線方向から見たときの外観図である。
【発明を実施するための形態】
【００２２】
以下、図面を用いて本発明の実施形態である鳥害防止具について説明する。
図１は、本発明の実施形態である鳥害防止具１００の構成を示す外観図である。図２は、鳥害防止具１００のクリップ部１を拡大して示す拡大図である。図３は、クリップ部１の第２係合部８の周辺部分を拡大して示す拡大図である。図４は鳥害防止具１００を軸線Ｌ１方向から見たときの外観図である。
【００２３】
本実施形態の鳥害防止具１００は、３つのクリップ部１と、各クリップ部１から放射状に突出する複数の鳥障害用突起２と、各クリップ部１を連結するための連結部５と、鳥害防止具１００と同形状の他の鳥害防止具と接続するための第１係合部６と、第２係合部８とを含んで構成される。
【００２４】
鳥害防止具１００は、電気絶縁性、可撓性および耐摩耗性に優れた合成樹脂からなり、本実施形態では、不透明な熱可塑性合成樹脂、たとえば黒色、灰色などのポリエチレン樹脂から成るインジェクション成形物によって実現される。このような鳥害防止具１００は、縁廻線とも呼ばれる縁廻り電線などの電線に、複数本が相互に接続された状態で設置され、カラス、鳩、ムクドリなどの鳥類による糞害、営巣などの鳥害を防止するために用いられる。
【００２５】
クリップ部１は、略円筒状に形成され、周方向の１箇所が分割されて弾性変形可能に構成される。不連続部分３は、クリップ部１が弾性変形することで、その間隔が広くなり、設置すべき電線の直径以上の間隔となる。たとえば、設置作業者が不連続部分３を広げ、この間隔に電線を通過させることで、クリップ部１に電線を挿入することができる。
【００２６】
クリップ部１は、長期にわたって、効果を発揮するために、十分な機械的強度や耐候性を備えている必要があるので、たとえ弾性変形可能であるとしても、不連続部分３の間隔を広げて電線を挿入する作業は容易なものではない。
【００２７】
より簡易に、なるべく大きな力を要することなく挿入作業を行うことを可能とするために、本実施形態では、クリップ部１の不連続部分３に、軸線Ｌ１方向に垂直な方向に突出する一対のフランジ部９ａ，９ｂを備える。
【００２８】
各フランジ部９ａ，９ｂは、軸線Ｌ１方向の両端部に、軸線Ｌ１方向に互いに近接する方向に傾斜し、かつ軸線Ｌ１に垂直な方向に、軸線Ｌ１から離反するにつれて拡開する挿入案内部１０を構成する。
【００２９】
作業者が、クリップ部１の挿入案内部１０とは反対側の部分を把持した状態で、挿入案内部１０を電線の外周面に当接させ、軸線Ｌ１に直交する方向であって、クリップ部１から電線に向かう方向に、力を加える。そうすると、フランジ部９ａ，９ｂに対して電線からの反力が作用し、フランジ部９ａ，９ｂが互いに離反する。作業者がさらに力を加えると、フランジ部９ａ，９ｂがさらに離反し、互いの距離が大きくなる。フランジ部９ａ，９ｂは、不連続部分３に備えられているので、フランジ部９ａ，９ｂが離反するにともなって、クリップ部１が弾性変形し、不連続部分３が拡開することになる。作業者がさらに力を加えると、フランジ部９ａ，９ｂがさらに離反するとともに、不連続部分３を電線が通過して徐々にクリップ部１に挿入される。電線の半分が挿入されると、フランジ部９ａ，９ｂの距離が電線の直径とほぼ同じになるまで広がり、作業者が加えるべき力が最大となる。さらに軸線Ｌ１に直交する方向にクリップ１を押し込むと、弾性力によってクリップ部１が元の形状に復元し始め、フランジ部９ａ，９ｂの距離も徐々に近接する。この時点では、作業者はほとんど力を加える必要はない。
【００３０】
電線がクリップ部１に挿入されると、フランジ部９ａ，９ｂは、最も近接した状態に戻る。挿入された電線を抜き取る場合には、単に挿入したときと反対方向に力を加えるだけでは、抜き取ることができない。クリップ部１の内周側には、挿入案内部１０に相当する構成は設けられていないので、挿入時と反対方向に力を加えても電線からの反力が発生せず、フランジ部９ａ，９ｂが離反しない。すなわち、クリップ部１に不連続部分３が拡開しないので、電線を容易に抜き取ることができない。電線を抜き取る場合には、不連続部分３に対して周方向両側にそれぞれ略９０度の位置を把持して軸線Ｌ１に直交する方向で外方に向かって同時に力を加えて、不連続部分３を拡開させる必要がある。したがって、一度挿入された電線は、鳥などが接触したときの衝撃力や、風または雪などによる外力が単に加わっただけでは、抜けることがない。
【００３１】
クリップ部１のうち、不連続部分３とは軸線Ｌ１に関して反対側の部分４（以下では、「背面部分４」という）軸線Ｌ１方向から見たときに半円状に形成される部分であり、半円筒状の部分である。クリップ部１の背面部分４を除く残余の部分、すなわち不連続部分３を含む残余部分は、軸線Ｌ１方向からみたときに半円状であり、半円筒状の部分であるが、背面部分４に比べて、軸線Ｌ１方向の長さが短く構成される。
【００３２】
また、残余部分は、背面部分４の軸線Ｌ１方向両端部からそれぞれ退避するように設けられる。後述する連結部５は、クリップ部１の軸線Ｌ１が一致するように、かつ背面部分４の端部同士を連結するものであり、連結された２つのクリップ部１は、背面部分４の端部同士が突き合わされるような形状を成す。したがって、連結された２つのクリップ部１は、背面部分４同士の間隔が最も小さく、残余部分同士の間隔が最も大きくなるように連結される。
【００３３】
各クリップ部１には、軸線Ｌ１に垂直な一半径線方向に貫通する孔１９が形成される。このような孔１９によって、風に対する受圧面積を少なくして、風圧を低減し、風によって電線が鳥害防止具１００とともに揺動することが抑制され、鳥害防止具１００の電線からの脱落を防止することができる。
【００３４】
各クリップ部１にはまた、軸線Ｌ１および前記各孔１９が貫通する一半径線とは異なるもう１つの一半径線方向に突出するリブ１８がそれぞれ形成される。このようなリブ１８によって、各クリップ部１の曲げ剛性を向上し、各クリップ部１が容易に変形して電線から脱落することが防がれる。
【００３５】
前記３つのクリップ部１のうち、軸線Ｌ１方向の中央部に配置されるクリップ部１には、当該クリップ部１の周方向両端部が離間することを防止するため、弾性変形によって互いに嵌合／離脱可能なロック片１３，１４が設けられる。一方のロック片１３には、他方のロック片１４が嵌合可能な嵌合孔１３ａが形成され、この嵌合孔１３ａに前記他方のロック片１４が嵌合することによって、クリップ部１に周方向両端部が互いに離反する方向に変形することが抑制され、これによって鳥害防止具１００が電線から脱落することを、より確実に防止することができる。
【００３６】
鳥害防止具１００は、各クリップ部１から放射状に突出する複数の鳥障害用突起２を有する。鳥障害用突起２は、放射状に突出するものであれば、数および鳥障害用突起２同士の間隔などは、特に限定されず、鳥の障害となるように設けられていればよいが、少なくとも各クリップ部１の軸線Ｌ１方向の一端部１１でかつ不連続部分３とは軸線Ｌ１に関して反対側の背面部分４に設けられ、各クリップ部１を不連続部分３が内側になる方向へ変形させた状態で、先端部が軸線Ｌ１方向の両側に隣接する２つの鳥障害用突起２ｂ，２ｃのほぼ中間位置に配置されるように傾斜する鳥障害用突起２ａと、連結部５に設けられる鳥障害用突起２ｄと、各フランジ部９ａ，９ｂの軸線Ｌ１方向両端部に設けられる鳥障害用突起２ｅとを含む。
【００３７】
本実施形態では、図４に示すように、軸線Ｌ１方向から見たときに、クリップ部１の外周面から外方に向かって７本の鳥障害用突起２が設けられる。クリップ部１の背面部分４には、５本の鳥障害用突起２が設けられている。５本の鳥障害用突起２は、半円筒状の背面部分４に、中心角が４５°で等角となるように、背面部分４表面に設けられる。残りの２本の鳥障害用突起２は、フランジ部９ａ，９ｂにそれぞれ１本ずつ設けられ、これら２本の鳥障害用突起２の成す角が９０°であり、背面部分４に設けられた鳥障害用突起２のうち、軸線Ｌ１に関して互いに反対側の位置に設けられる２本の鳥障害用突起２に対して、中心角がそれぞれ４５°を成すように設けられる。
【００３８】
したがって、鳥障害用突起２は、不連続部分３を除く７つの位置に、周方向に等間隔をあけて設けられる。鳥障害用突起２は、そのほとんどが、クリップ部１の周面に対して法線方向に直線状に延び、クリップ部１の周面から離反するにつれて直径が細くなる先細状に形成される。
【００３９】
また、鳥障害用突起２は、軸線Ｌ１方向においてもクリップ部１の周面に等間隔に設けられる。軸線Ｌ１方向から見たときの７本の鳥障害用突起２は、いずれも軸線Ｌ１方向に沿って等間隔に２本または３本ずつ設けられる。背面部分４に設けられる鳥障害用突起２は、軸線Ｌ１方向に沿って等間隔に３本設けられ、不連続部分３を含む残余部分に設けられる鳥障害用突起２は軸線Ｌ１方向に沿って２本設けられる。
【００４０】
クリップ部１に鳥障害用突起２を設けることで、鳥が電線またはクリップ部１に近づく際の障害となって、鳥の接近を防ぐことができる。
【００４１】
クリップ部１同士を連結する連結部５は、この連結部５を中心として２つのクリップ部１の相対的な位置関係が容易に変更可能となるように設けられており、２つのクリップ部１の不連続部分３が互いに内側になる方向への変形に対する弾性回復力が、不連続部分３が外側になる方向への変形に対する弾性回復力よりも小さくなるように形成される。
【００４２】
具体的には、連結部５は、板状部材を折り曲げて断面をＵ字状とした部材であり、クリップ部１および鳥障害用突起２などと同一材料によって一体的に成形される。
【００４３】
クリップ部１および鳥障害用突起２には、鳥害防止具１００全体の機械的強度を確保し、飛来する鳥の障害として有効に機能するために、所定の強度が備わってなければならないが、本発明の連結部５を有していない従来の鳥害防止具では、鳥害防止具全体として許容される変形量が非常に小さく、湾曲した電線に装着することが困難である。また直線状の電線に装着する場合においても、鳥害防止具全体として変形しにくいと、たとえば、鳥害防止具の一方端部から他方端部に向かって順次電線に装着していくことができず、鳥害防止具の全長にわたって同時に装着するような困難な作業が必要となる。
【００４４】
本発明の鳥害防止具１００は、連結部５を備えることで、連結されたクリップ部１同士が連結部５を中心として互いに近接／離反するように変形することが可能であるので、湾曲した電線に装着する場合には、湾曲した電線に沿って鳥害防止具１００全体を湾曲させて装着させることが可能となる。また、電線に装着する作業においても、不連続部分３が外側になる方向へ変形させた状態で、順次、最初に一方端部のクリップ部１を電線に装着させ、続いて中央のクリップ部１を装着させて、最後に他方端部のクリップ部１を装着することができる。
【００４５】
連結部５は、軸線Ｌ１に直交する方向で外方に向かって凸となるように、２つのクリップ部１の背面部分４同士を連結するように設けられる。連結部５は、強度の高い材料から成るものであるが、Ｕ字状とすることで、クリップ部１同士を板ばねによって連結した状態と同様の連結状態とすることができる。
【００４６】
なお、連結部５が外方に凸となるように設けられることから、クリップ部１の表面よりも連結部５の表面のほうが軸線Ｌ１から離れた位置にあることになるので、飛来した鳥が連結部５に留まるおそれがある。したがって、連結部５の表面にも鳥障害用突起２ｄを設けることが好ましい。
【００４７】
全ての鳥障害用突起２が、円筒状のクリップ部１の表面に対して法線方向に延びるように設けられている構成では、鳥害防止具１００が全体として軸線Ｌ１に沿った直線状に電線に装着されていれば、鳥障害用突起２は周方向および軸線Ｌ１方向に一様に存在することになり、鳥が電線に留まることを防止することができる。
【００４８】
しかしながら、湾曲した状態の電線に鳥害防止具１００を装着した場合、鳥害防止具１００全体が電線に沿って湾曲し、連結部５で連結された２つのクリップ部１は、たとえば、連結部５を中心に不連続部分３が互いに内側になる方向へ変形した状態で維持されることになる。
【００４９】
そうすると、一方のクリップ部１の背面部分４に設けられた鳥障害用突起２のうち、他方のクリップ部に近接する鳥障害用突起２と、他方のクリップ部１の背面部分４に設けられた鳥障害用突起２のうち、一方のクリップ部１に近接する鳥障害用突起２との間隔が他の鳥障害用突起２同士の間隔に比べて大きく広がった状態となる。この大きく広がった部分には、鳥障害用突起２が存在しないので、鳥の接近を許してしまうことになる。
【００５０】
このように、鳥害防止具１００が湾曲して電線に装着された状態であっても、鳥障害用突起２が存在しない領域を生じないように、各クリップ部１の軸線Ｌ１方向の一端部１１で背面部分４に設けられる鳥障害用突起２ａは、クリップ部１の表面に対する法線方向から傾いた方向に延びるように設けることが好ましい。詳細には、各クリップ部１を不連続部分３が内側になる方向へ変形させた状態で、その先端部が軸線Ｌ１方向の両側に隣接する２つの鳥障害用突起２ｂ，２ｃのほぼ中間位置に配置されるように設けられる。
【００５１】
前記複数のクリップ部１の軸線Ｌ１方向の一端部１１には、第１係合部６が設けられ、前記複数のクリップ部１の前記軸線Ｌ１方向の他端部７には、前記第１係合部６に前記軸線Ｌ１に垂直な軸線まわりに角変位自在に係合可能な第２係合部８が設けられる。第１係合部６は、各クリップ部１間の前記逆Ｕ字状の連結部５と同様な連結部分６ａと、連結部分６ａに一体に連なり、前記第２係合部８が挿入可能な係合孔１２が形成される係合部分６ｂとを有する。また、前記第２係合部８は、前記係合孔１２に着脱自在に嵌合する円錐状の基部８ａ、基部８ａの先端部から突出するピン部８ｂとを有する。基部８ａの底部には、前記係合孔１２を外囲する係合部分６ｂの周縁部が嵌合する嵌合溝８ｃが形成され、嵌合溝８ｃに前記係合部分６ｂの周縁部が嵌合することによって、第２係合部８が第１係合部６に抜止めされる。
【００５２】
このように各クリップ部１の軸線Ｌ１方向の一端部１１に第１係合部６が設けられ、各クリップ部１の軸線Ｌ１方向の他端部７に第２係合部８が設けられるので、軸線Ｌ１方向に隣接するクリップ部１は、互いに軸線Ｌ１に垂直な軸線まわりに角変位自在に連結され、風などによる電線の揺動を許容し、鳥害防止具１００に電線から大きな反力が作用することが防がれ、鳥害防止具１００が電線から容易に離脱してしまうことを防止することができる。
【００５３】
前述の実施形態では、３つのクリップ部１が連結部５によって一体に連結された鳥害防止具１００について述べたが、本発明の他の実施形態では、４以上のクリップ部１が一体に形成された構成であってもよく、前述と同様な効果を達成することができる。
【符号の説明】
【００５４】
１  クリップ部
２，２ａ，２ｂ，２ｃ，２ｄ  鳥障害用突起
３  分割部分
４  背面部分
５  連結部
６  第１係合部
６ａ  連結部分
６ｂ  係合部分
７  他端部
８  第２係合部
８ａ  基部
８ｂ  ピン部
８ｃ  嵌合溝
９ａ，９ｂ  フランジ部
１１  一端部
１２  係合孔
１００  鳥害防止具
【図１】
0005883672.tif 000002
【図２】
0005883672.tif 000003
【図３】
0005883672.tif 000004
【図４】
0005883672.tif 000005